(57)【要約】【課題】            上下にセパレートされている衣類を一体化させる連結具として試着時にも外してしまう必要性がなく、そのまま実行できるというものが存在しなかったという点である。【解決手段】        連結部材は線状材の両端に、係合部を備えた挿し込み部を一体的に備え、前記した線状材の一部に、前記した挿し込み部が挿し込まれ、ロックされる係止部を備えた受部を各々設けるとともに、前記した受部間の長さが略４０〜６０ｃｍの範囲であることとし、線状材の両端に、一方に係合部を備えた挿し込み部と、他方にその挿し込み部の係合部と係合してロックされる係止部を備えた受部とから成るクリップ状止着部を一体的に備えるとともに前記したクリップ状止着部間の長さが略４０〜６０ｃｍの範囲であることとする。【選択図】          図１
0003120094.tif 000002
【実用新案登録請求の範囲】
【請求項１】
線状材の両端に、係合部を備えた挿し込み部を一体的に備え、前記した線状材の一部に、前記した挿し込み部が挿し込まれ、ロックされる係止部を備えた受部を各々設けるとともに、前記した受部間の長さが略４０〜６０ｃｍの範囲であることを特徴とする連結部材。
【請求項２】
線状材の両端に、一方に係合部を備えた挿し込み部と、他方にその挿し込み部の係合部と係合してロックされる係止部を備えた受部とから成るクリップ状止着部を一体的に備えるとともに前記したクリップ状止着部間の長さが略４０〜６０ｃｍの範囲であることを特徴とする連結部材。
【請求項３】
線状材の一端に、係合部を備えた挿し込み部を一体的に備え、前記した線状材の一部に前記した挿し込み部が挿し込まれロックされる係止部を備えた受部を設け、他端には一方に係合部を備えた挿し込み部と他方にその挿し込み部の係合部と係合してロックされる係止部を備えた受部とから成るクリップ状止着部を一体的に備えるとともに、そのクリップ状止着部と逆端に備えられた挿し込み部との長さが略４０〜６０ｃｍの範囲であることを特徴とする連結部材。
【請求項４】
前記した線状材の略中間部位にシールを貼着したり、表示を印刷あるいは書き込むための平坦なプレート部を一体に備えていることを特徴とする請求項１、請求項２または請求項３に記載の連結部材。
【請求項５】
前記した線状材は延伸加工処理したプラスチックであることを特徴とする請求項１、請求項２、請求項３または請求項４に記載の連結部材。
【請求項６】
前記した線状材は糸であることを特徴とする請求項１、請求項２、請求項３または請求項４に記載の連結部材。
【請求項７】
前記した線状材はゴム製紐の周囲に糸を巻装したものであることを特徴とする請求項１、請求項２、請求項３または請求項４に記載の連結部材。
【考案の詳細な説明】
【技術分野】
【０００１】
本考案は連結部材、特に分離状態にある物を紛失、混入等を防止するために一体的に連結しておくための連結部材に関し、主としてセパレートされた着衣類をセットとして一体化させておくための連結部材に関する。
【背景技術】
【０００２】
従来、例えば女性用のセパレートタイプの水着やエアロビクス用ウェア等々は上下でワンセットとなっており、物品としては分離されているが片方を紛失したり、バラバラになってしまうことがないよう連結具で両者をつなぎ一体化して管理したり、陳列されている。
【０００３】
しかしながら、現在使用されている連結具は製品としてサイズが短いため、その連結状態のままでは試着ができず、仮に試着をするとすれば、一旦連結具を外して分離状態とし、試着後合わない時は再度連結具でつなぎ直す作業が強いられる。この作業にあっては、時として上下のうち一方が紛失したり、他の製品と混入してしまい非常に管理を行なうことが困難なものとなっている。
【特許文献１】特開２００３−１１２７４５号公報
【特許文献２】特開２００１−３２７３７３号公報
【特許文献３】特開平６−１５６５２２号公報
【考案の開示】
【考案が解決しようとする課題】
【０００４】
本考案が解決しようとする問題点は従来、上下にセパレートされている衣類を一体化させる連結具として試着時にも外してしまう必要性がなく、そのまま実行できるというものが存在しなかったという点である。
【課題を解決するための手段】
【０００５】
上記問題点を解決するため、本考案に係る連結部材は線状材の両端に、係合部を備えた挿し込み部を一体的に備え、前記した線状材の一部に、前記した挿し込み部が挿し込まれ、ロックされる係止部を備えた受部を各々設けるとともに、前記した受部間の長さが略４０〜６０ｃｍの範囲であることを特徴とし、線状材の両端に、一方に係合部を備えた挿し込み部と、他方にその挿し込み部の係合部と係合してロックされる係止部を備えた受部とから成るクリップ状止着部を一体的に備えるとともに前記したクリップ状止着部間の長さが略４０〜６０ｃｍの範囲であることを特徴とし、線状材の一端に、係合部を備えた挿し込み部を一体的に備え、前記した線状材の一部に前記した挿し込み部が挿し込まれロックされる係止部を備えた受部を設け、他端には一方に係合部を備えた挿し込み部と他方にその挿し込み部の係合部と係合してロックされる係止部を備えた受部とから成るクリップ状止着部を一体的に備えるとともに、そのクリップ状止着部と逆端に備えられた挿し込み部との長さが略４０〜６０ｃｍの範囲であることを特徴とし、前記した線状材の略中間部位にシールを貼着したり、表示を印刷あるいは書き込むための平坦なプレート部を一体に備えていることを特徴としている。
【０００６】
また、本考案に係る連結部材は、前記した線状材は延伸加工処理したプラスチックであることを特徴とし、前記した線状材は糸であることを特徴とし、前記した線状材はゴム製紐の周囲に糸を巻装したものであることを特徴としている。
【考案の効果】
【０００７】
本考案に係る連結部材は上記のように構成されているため、上下にセパレートされている衣類で上部の下縁と下部の上縁を連結しておくと、試着時にも長さに十分な余裕があり、連結部材の線状部の一部が弛んだり、撓んだりして試着に悪影響を与えることもなく、又、その連結部材を取り外す必要性もなくなり、管理が非常に行ない易く、返品時の整理もスムーズに行なうことができるものとなっている。
【考案を実施するための最良の形態】
【０００８】
図面として示す実施例のように構成することで実現した。
【実施例１】
【０００９】
次に、本考案の好ましい実施の例を図面を参照して説明する。図１は本考案を実施した連結部材を示す図、図２は同じくプレート部を示す図、図３は同じくクリップ状止着部を示す図、図４は同じく線状材として糸を用いた例を示す図、図５は同じく線状材としてゴム製紐の周囲に糸を巻装したものを用いた例を示す図である。
【００１０】
これらの図にあって１は本考案を実施した連結部材を示している。この連結部材１は延伸加工処理をしたプラスチック製の線状材２を有している。この線状材２の両端には、この線状材２と方向性を同じくして挿し込み部３、３が一体的に備えられており、この挿し込み部３、３の先端近くには後述する受部の係止部と係合して抜け止めし、ロック状態とするための係合部４、４が形成されている。
【００１１】
また、前記した線状材２の両端寄り部分には挿し込み部３、３を受ける受部５、５が一体的に設けられており、この受部５、５間の線状材２の長さは略４０〜６０ｃｍとされる。ここで、この受部５と挿し込み部３をつなぐ線状材の部分は可撓性を有していれば特に延伸加工を施したものである必要はなく非延伸のプラスチック材でもよい。
【００１２】
この実施例における受部５はプラスチック製の円板状のものとなっており、その肉厚に沿って貫通孔６、６が形成されている。この貫通孔６、６の略中央位置には挿し込み部３の先端の係合部４、４が係合され、受部５と挿し込み部３とをつなぐ線状材の部分でループを形成し、そのループ状態をロックする係止部７、７が一体に形成されている。
【００１３】
即ち、この実施例によれば線状材２の両端にループが形成されることとなり、この各ループで上下ウェアの一部を各々絡め、線状材２によってその上下ウェアを一体的に連結しておくこととなり、これを試着しても連結間が略４０〜６０ｃｍあるため無理なく自然に着装することができることとなる。
【００１４】
また、前記した線状材２の略中央にはシール８を貼装したり、文字や図柄をプリントしたり書き込みをするための少なくとも一面を平坦としたプレート部９を一体に設けることもできる。実際的には線状材２が略４０〜６０ｃｍと長くなるので、このプレート部９を設けることで線状材２を二つに分断もしくは略２０〜３０ｃｍの長さのものと二本使用することで形成することができることとする。
【００１５】
さらに、図３として示す場合は延伸加工処理を施したプラスチック製の線状材２の両端にクリップ状止着部１０を一体的に備えた例である。このクリップ状止着部１０は基端にバネ性を保有させてＶ字状あるいはＵ字状に拡開させたもので一方に挿し込み部１１を内面に備え、対向する他方の内面には、その挿し込み部１１を受け、対象物を挟持した状態でロックする受部１２が備えられている。
【００１６】
前記した挿し込み部１１は先端が挿し込みガイドとして略球面状とされ、その基部が係合部１３とされ、受部１２はこの挿し込み部１１が挿し込まれる穴部として形成され、その奥部分には係合部１３が係合され、抜け止めされてロック状態とされる係止部１４が形成されている。そして、このクリップ状止着部１０、１０間の線状材２の長さは略４０〜６０ｃｍとされている。
【００１７】
一方、図４として示す場合は線状材として糸１５を用いた例で、挿し込み部３やその受部５の構成は図１の場合と同様となり、プレート部９を設けることも自在である。また、挿し込み部３、受部５の代わりにクリップ状止着部１０を用いることも自在であり、この例の場合も二つの受部５、５間あるいはクリップ状止着部１０、１０の間の長さは略４０〜６０ｃｍとされることとなる。
【００１８】
さらに、図５として示す場合は線状材としてゴム製紐１６をコアとし、そのゴム製紐１６の周囲に細糸１７を巻装して全体を伸縮自在とした例であり、その両端に前記した挿し込み部３、３及び受部５、５を設けるか、クリップ状止着部１０、１０を設けて使用することとなり、この場合も受部５、５を有する間はその間の長さ、クリップ状止着部１０、１０を用いた場合はその間の長さが略４０〜６０ｃｍとなるが、その伸縮性により、さらに長さを要求される場合にも対応することが可能となる。
【００１９】
ここで、本実施例では線状材２として延伸加工したプラスチック、糸１５やゴム製紐１６の周囲に細糸１７を巻装したものを用いることとし、その両端に挿し込み部３、３と受部５、５を設けるか、クリップ状止着部１０、１０を設けることとしたが、これは一方を挿し込み部３と受部５とし、他端にクリップ状止着部１０とすることも勿論可能である。
【産業上の利用可能性】
【００２０】
本考案に係る連結部材は上記のように構成されている。ここで、受部５の形状を円板状のものとしたが、これはこれにこだわるものではなく、球状、楕球状、立方体、直方体等を任意の形状にすることが可能であり、プレート部９もその形状に特にこだわるものではなく、より立体的なものとすることも勿論可能である。
【００２１】
また、本願考案は使用目的として上下ウェアの一体連結を挙げているが、これにこだわることなく、各種札、ポスター等の吊持や現在は紐でつないでいる農業用パイプの連結等に幅広く応用使用することが可能となる。
【図面の簡単な説明】
【００２２】
【図１】本考案を実施した連結部材を示す図である。
【図２】プレート部を示す図である。
【図３】クリップ状止着部を示す図である。
【図４】線状材として糸を用いた例を示す図である。
【図５】線状材としてゴム製紐の周囲に糸を巻装したものを用いた例を示す図である。
【符号の説明】
【００２３】
１    連結部材
２    線状材
３    挿し込み部
４    係合部
５    受部
６    貫通孔
７    係止部
８    シール
９    プレート部
１０  クリップ状止着部
１１  挿し込み部
１２  受部
１３  係合部
１４  係止部
１５  糸
１６  ゴム製紐
１７  細糸
【図１】
0003120094.tif 000003
【図２】
0003120094.tif 000004
【図３】
0003120094.tif 000005
【図４】
0003120094.tif 000006
【図５】
0003120094.tif 000007